【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
複数の第１表示信号線と、
前記第１表示信号線と交差する複数の第２表示信号線と、
前記第１表示信号線のうちの１つと前記第２表示信号線のうちの１つとに各々接続される複数の画素と、
所定個数の隣接した画素列ごとに１つずつ形成され、前記第１表示信号線に平行な複数の第１感知信号線と、
所定個数の隣接した画素行ごとに１つずつ形成され、前記第２表示信号線に平行な複数の第２感知信号線と、
前記第１感知信号線に接続される複数の第１感知部と、
前記第２感知信号線に接続される複数の第２感知部と、
前記各第１感知信号線と当該第１感知信号線に隣接した所定個数の第１表示信号線（以下、第１表示信号線群という）に接続されており、第１及び第２検査信号が印加され、前記第１感知部の状態によって前記画素の輝度状態を変化させて、前記第１感知部の状態を検査する複数の第１検査回路と、
前記各第２感知信号線と当該第２感知信号線に隣接した所定個数の第２表示信号線（以下、第２表示信号線群という）に接続されており、第３及び第４検査信号が印加され、前記第２感知部の状態によって前記画素の動作の有無が決定されて、前記第２感知部の状態を検査する複数の第２検査回路と、を有することを特徴とする表示装置。
【請求項２】
前記第１検査回路の各々は、第１表示信号線群に各々接続されており、前記第２検査信号によって動作状態が変わる複数の第２スイッチング素子と、該複数の第２スイッチング素子と第１感知信号線に接続されており、前記第２検査信号によって動作し、第１検査信号の電圧を前記第１表示信号線群に接続された画素に印加する第１スイッチング素子と、を有することを特徴とする請求項１に記載の表示装置。
【請求項３】
前記第２検査回路の各々は、第２表示信号線群に各々接続されており、前記第４検査信号によって動作状態が変わる複数の第４スイッチング素子と、該複数の第４スイッチング素子と第２感知信号線に接続されており、前記第４検査信号によって動作し、第３検査信号の電圧を前記第２表示信号線群に接続された画素に印加する第３スイッチング素子と、を有することを特徴とする請求項１または請求項２に記載の表示装置。
【請求項４】
前記第２及び第４検査信号は、ゲートオン電圧であることを特徴とする請求項３に記載の表示装置。
【請求項５】
複数の第１表示信号線と、
前記第１表示信号線と交差する複数の第２表示信号線と、
前記第１表示信号線のうちの１つと前記第２表示信号線のうちの１つとに各々接続される複数の画素と、
所定個数の隣接した画素列ごとに１つずつ形成され、前記第１表示信号線に平行な第１感知信号線と、
所定個数の隣接した画素行ごとに１つずつ形成され、前記第２表示信号線に平行な第２感知信号線と、
前記画素と離隔し、第１検査信号を伝達する第１検査線と、
前記第１検査線と離隔し、第２検査信号を伝達する第２検査線と、
前記第１検査線、前記第２検査線、及び前記第１感知信号線に接続される第１スイッチング素子と、
前記第１スイッチング素子、前記第２検査線、及び前記第１感知信号線に隣接した所定個数の第１表示信号線に接続される複数の第２スイッチング素子と、
前記画素と離隔し、第３検査信号を伝達する第３検査線と、
前記第３検査線と離隔し、第４検査信号を伝達する第４検査線と、
前記第３検査線、前記第４検査線、及び前記第２感知信号線に接続される第３スイッチング素子と、
前記第３スイッチング素子、前記第４検査線、及び前記第２感知信号線に隣接した所定個数の第２表示信号線に接続される複数の第４スイッチング素子と、を有することを特徴とする表示装置。
【請求項６】
前記第１及び第２感知信号線に各々接続された感知部をさらに有することを特徴とする請求項５に記載の表示装置。
【請求項７】
前記感知部は圧力センサーであることを特徴とする請求項６に記載の表示装置。
【請求項８】
複数の第１表示信号線と、複数の第２表示信号線と、前記第１表示信号線のうちの１つと前記第２表示信号線のうちの１つとに各々接続される複数の画素と、所定個数の隣接した画素列ごとに１つずつ形成され、前記第１表示信号線に平行な少なくとも１つの第１感知信号線と、所定個数の隣接した画素行ごとに１つずつ形成され、前記第２表示信号線に平行な少なくとも１つの第２感知信号線と、第１検査線と、第２検査線と、前記第１検査線に入力端子が接続されており、前記第２検査線に制御端子が接続されており、前記第１感知信号線に出力端子が接続される第１スイッチング素子と、前記第１スイッチング素子に入力端子が接続されており、前記第２検査線に制御端子が接続されており、前記第１感知信号線に隣接した所定個数の第１表示信号線に各々出力端子が接続される複数の第２スイッチング素子と、第３検査線と、第４検査線と、前記第３検査線に入力端子が接続されており、前記第４検査線に制御端子が接続されており、前記第２感知信号線に出力端子が接続される第３スイッチング素子と、前記第３スイッチング素子に入力端子が接続されており、前記第４検査線に制御端子が接続されており、前記第２感知信号線に隣接した所定個数の第２表示信号線に各々出力端子が接続される複数の第４スイッチング素子と、を備える表示装置の感知部検査方法であって、
第１検査線に第１の大きさの第１検査信号を印加し、前記第２検査線に第２の大きさの第２検査信号を印加して前記第１〜第２スイッチング素子をターンオンさせることによって前記画素に第１検査信号を印加する段階と、
前記第２検査信号の状態を前記第２の大きさより低い第３の大きさに変換する段階と、
第３検査線に第４の大きさの第３検査信号を印加し、前記第４検査線に前記第２の大きさの第４検査信号を印加して前記第３〜第４スイッチング素子をターンオンさせることによって前記画素に第４検査信号を印加する段階と、
前記第４検査信号の状態を前記第２の大きさから前記第３の大きさに変換する段階と、を有することを特徴とする感知部検査方法。
【請求項９】
前記第２の大きさがゲートオン電圧の大きさと等しいことを特徴とする請求項８に記載の感知部検査方法。
【請求項１０】
前記第３の大きさがゲートオフ電圧の大きさと等しいことを特徴とする請求項９に記載の感知部検査方法。
【手続補正２】
【補正対象書類名】明細書
【補正対象項目名】０００７
【補正方法】変更
【補正の内容】
【０００７】
前記第１検査回路の各々は、第１表示信号線群に各々接続されており、前記第２検査信号によって動作状態が変わる複数の第２スイッチング素子と、該複数の第２スイッチング素子と第１感知信号線に接続されており、前記第２検査信号によって動作し、第１検査信号の電圧を前記第１表示信号線群に接続された画素に印加する第１スイッチング素子と、を有してもよい。
前記第２検査回路の各々は、第２表示信号線群に各々接続されており、前記第４検査信号によって動作状態が変わる複数の第４スイッチング素子と、該複数の第４スイッチング素子と第２感知信号線に接続されており、前記第４検査信号によって動作し、第３検査信号の電圧を前記第２表示信号線群に接続された画素に印加する第３スイッチング素子と、を有してもよい。
前記第２及び第４検査信号はゲートオン電圧であってもよい。
【手続補正３】
【補正対象書類名】明細書
【補正対象項目名】０００９
【補正方法】変更
【補正の内容】
【０００９】
上記目的を達成するためになされた本発明の一特徴による感知部検査方法は、複数の第１表示信号線と、複数の第２表示信号線と、前記第１表示信号線のうちの１つと前記第２表示信号線のうちの１つとに各々接続される複数の画素と、所定個数の隣接した画素列ごとに１つずつ形成され、前記第１表示信号線に平行な少なくとも１つの第１感知信号線と、所定個数の隣接した画素行ごとに１つずつ形成され、前記第２表示信号線に平行な少なくとも１つの第２感知信号線と、第１検査線と、第２検査線と、前記第１検査線に入力端子が接続され、前記第２検査線に制御端子が接続され、前記第１感知信号線に出力端子が接続される第１スイッチング素子と、前記第１スイッチング素子に入力端子が接続され、前記第２検査線に制御端子が接続され、前記第１感知信号線に隣接した所定個数の第１表示信号線に各々出力端子が接続される複数の第２スイッチング素子と、第３検査線と、第４検査線と、前記第３検査線に入力端子が接続され、前記第４検査線に制御端子が接続され、前記第２感知信号線に出力端子が接続される第３スイッチング素子と、前記第３スイッチング素子に入力端子が接続され、前記第４検査線に制御端子が接続され、前記第２感知信号線に隣接した所定個数の第２表示信号線に各々出力端子が接続される複数の第４スイッチング素子と、を備える表示装置の感知部検査方法であって、第１検査線に第１の大きさの第１検査信号を印加し、前記第２検査線に第２の大きさの第２検査信号を印加して、前記第１〜第２スイッチング素子を導通させることによって、前記画素に第１検査信号を印加する段階と、前記第２検査信号の状態を前記第２の大きさより低い第３の大きさに変える段階と、第３検査線に第４の大きさの第３検査信号を印加し、前記第４検査線に前記第２の大きさの第４検査信号を印加して、前記第３〜第４スイッチング素子を導通させることによって、前記画素に第４検査信号を印加する段階と、前記第４検査信号の状態を前記第２の大きさから前記第３の大きさに変える段階と、を有する。
前記第２の大きさはゲートオン電圧の大きさと等しくてもよい。
前記第３の大きさはゲートオフ電圧の大きさと等しくてもよい。